(57)【要約】【課題】市販のアンプと市販のヘッドホンとの間に単に音圧信号制限手段を介在配置することで音圧信号を制限できるようにして検査従事者に聴力障害を発生させないようにした聴力保護具の提供。【解決手段】マイクロホン等の試聴対象物に組み込まれているアンプ１が備える出力ジャック２に接続される介在プラグ１３と、ヘッドホンが備える入力プラグ５に接続される介在ジャック１４とを備える中継アダプタ１２における介在プラグ１３と介在ジャック１４との間には、該介在プラグ１３に接続させた倍電圧整流回路と、該倍電圧整流回路からの出力を受けて発光するＬＥＤと、該ＬＥＤからの発光を受光してその際の受光量の高まりに応じて抵抗値の低下を可能に介在ジャック１４に接続された光導電素子とからなる音圧信号制限手段２２を配置した。【選択図】図１
2010171744.tif 000002
【特許請求の範囲】
【請求項１】
マイクロホン等の試聴対象物に組み込まれているアンプが備える出力ジャックに接続される介在プラグと、ヘッドホンが備える入力プラグに接続される介在ジャックとを備える中継アダプタにおける前記介在プラグと前記介在ジャックとの間には、該介在プラグに接続させた倍電圧整流回路と、該倍電圧整流回路からの出力を受けて発光するＬＥＤと、該ＬＥＤからの発光を受光してその際の受光量の高まりに応じて抵抗値の低下を可能に前記介在ジャックに接続された光導電素子とからなる音圧信号制限手段を配置したことを特徴とする聴力保護具。
【請求項２】
前記音圧信号制限手段には、前記光導電素子に対する給電の制限レベルを可変とするための可変抵抗を配置した請求項１に記載の聴力保護具。
【発明の詳細な説明】
【技術分野】
【０００１】
本発明は、ヘッドホンを使用してマイクロホン等の試聴対象物を聴音検査する際に、検査従事者の耳に大きな負担がかかって聴力の低下を来すことのないようにする聴力保護具に関する技術である。
【背景技術】
【０００２】
マイクロホン等の試聴対象物を聴音検査する場合には、従来から検査従事者がヘッドホンを耳に装着し、試聴対象物の性能や音質等を判定している。
【０００３】
この場合、市販のヘッドホンでは、入力が１ｍＷでも１００ｄＢＳＰＬ以上の音波が出力されることから、検査作業中に試聴対象物の小さな異音を聞き漏らすまいと大きな聴音音圧のもとで長時間の作業が強いられることになる。
【０００４】
すなわち、試聴対象物が例えばマイクロホンであれば、下記特許文献１にも記載されているように、該マイクロホンから出力される微細な異常信号から生成される微小な異常音も聞き逃さないように、通常の楽音を聴取するときよりも音量を上げた状態のもとでヘッドホンで試聴する必要がある。
【先行技術文献】
【特許文献】
【０００５】
【特許文献１】特開２００８−２１９３８０号公報
【０００６】
また、マイクロホンを試聴対象物とする聴音検査作業においては、マイクロホンを着脱する際に電気的衝撃音が発生してマイクロホン自体に衝撃や振動が加わった状態のもとで異常の有無を聴音検査することになることから、例えば下記特許文献２にも記載されているように検査従事者の耳に大きな負担がかかって、自覚のないままに聴力障害を発生させてしまうという問題がある。
【０００７】
【特許文献２】特開平７−２３５９７５号公報
【０００８】
このため、検査従事者が聴力障害をおこさないようにする従来方法としては、ヘッドホンを接続するアンプ内に、入力振幅範囲をより小さな出力範囲となるように変換するコンプレッサ等を組み込んで音圧信号を制限する手法がある。
【０００９】
この場合、用いられるアンプやヘッドホン自体は、通常、市販されているものであることから、上記したような音圧信号制限手段にも両者の間に単に介在させて簡単に取り付けられるようにしたものであることが望ましい。
【発明の概要】
【発明が解決しようとする課題】
【００１０】
しかし、１ｍＷで１００ｄＢＳＰＬ以上の音圧が発生する市販のヘッドホンにあっては、１ｍＷの信号を３６Ωのヘッドホンに加えたときの端子電圧が０．１９Ｖｒｍｓｄとなり、ダイオード等を介在させても電圧が低すぎて振幅制限をすることができないという不都合があった。
【００１１】
本発明は、従来技術の上記課題に鑑み、市販のアンプと市販のヘッドホンとの間に単に音圧信号制限手段を介在配置させて音圧信号を制限できるようにすることで、検査従事者に聴力障害を発生させないようにした聴力保護具を提供することに目的がある。
【課題を解決するための手段】
【００１２】
本発明は、上記目的を達成すべくなされたものであり、マイクロホン等の試聴対象物に組み込まれているアンプが備える出力ジャックに接続される介在プラグと、ヘッドホンが備える入力プラグに接続される介在ジャックとを備える中継アダプタにおける前記介在プラグと前記介在ジャックとの間には、該介在プラグに接続させた倍電圧整流回路と、該倍電圧整流回路からの出力を受けて発光するＬＥＤと、該ＬＥＤからの発光を受光してその際の受光量の高まりに応じて抵抗値の低下を可能に前記介在ジャックに接続された光導電素子とからなる音圧信号制限手段を配置したことを最も主要な特徴とする。
【００１３】
この場合、前記音圧信号制限手段には、前記光導電素子に対する給電の制限レベルを可変とするための可変抵抗を配置しておくのが好ましい。
【発明の効果】
【００１４】
本発明によれば、アンプが備える出力ジャックに接続される介在プラグと、ヘッドホンが備える入力プラグに接続される介在ジャックとの間に音圧信号制限手段を内蔵させた中継アダプタを介在させることで、ヘッドホン側に入力される音圧信号を分割することで制限することができるので、検査従事者に聴力障害を発生させないようにすることができる。
【００１５】
また、音圧信号制限手段に可変抵抗を配置してある場合には、光導電素子への給電制限レベルを可変とすることで、より好ましい音圧状態のもとで異常の有無を聴音検査することができる。
【図面の簡単な説明】
【００１６】
【図１】本発明を概略構成例を示す説明図。
【図２】本発明における音圧信号制限手段の一例を示す回路図。
【発明を実施するための形態】
【００１７】
図１は、本発明の概略構成例を示す説明図であり、マイクロホン等の試聴対象物に組み込まれているアンプ１が備える出力ジャック２に接続される介在プラグ１３と、図示しないヘッドホンが備える入力プラグ５に接続される介在ジャック１４とを備える中継アダプタ１２により聴力保護具１１が形成されている。
【００１８】
すなわち、中継アダプタ１２は、アンプ１が備える出力ジャック２に接続させるための介在プラグ１３と、図示しないヘッドホンが備える入力プラグ５に接続させるための介在ジャック１４とを備えて形成されている。
【００１９】
そして、介在プラグ１３と介在ジャック１４との間には、該介在プラグ１３に接続される倍電圧整流回路２３と、該倍電圧整流回路２３からの出力を受けて発光するＬＥＤ（発光ダイオード）３２と、発光するＬＥＤ３２からの発光を受光してその際の受光量の高まりに応じて抵抗値を低下させることで、アンプ１の出力レベルを分割してヘッドホン側に加えることができるように介在ジャック１４に接続される導電素子４２とからなる音圧信号制限手段２２が配置されている。
【００２０】
しかも、音圧信号制限手段２２には、アンプ１の出力レベルとの関係で定まる制限レベルを可変とすることができる可変抵抗Ｒ１が配置されており、図示しない調整シャフトを中継アダプタ１２から表出させるなどしてその抵抗値を事後調整することができるようになっている。
【００２１】
これを図示例に基づいてより詳しく説明すれば、音圧信号制限手段２２は、その入力端２２ａがアンプ１が備える出力ジャック２に介在プラグ１３を介して接続されており、出力端２２ｂは図示しないヘッドホンが備える入力プラグ５に介在ジャック１４を介して接続されている。
【００２２】
この場合、音圧信号制限手段２２は、その入力端２２ａが図２に示すようにＬＥＤ３２側と光導電素子４２側とに分岐配線することで構成されている。
【００２３】
すなわち、入力端２２ａを介して介在プラグ１３に接続される一方の配線Ｌ１は、介在させた可変抵抗Ｒ１と接地された光導電素子４２との間に出力端２２ｂが配置されて、該出力端２２ｂを介してヘッドホンが備える入力プラグ５に接続されている。
【００２４】
また、入力端２２ａを介して介在プラグ１３に接続される他方の配線Ｌ２は、介在プラグ１３に直結されている倍電圧整流回路２３を経て、接地されたＬＥＤ３２へと接続されている。
【００２５】
この場合、倍電圧整流回路２３は、抵抗Ｒ２を介して直列接続された整流器（ダイオード）Ｄ１〜Ｄ６と、これらの整流器Ｄ１〜Ｄ６に対し図２に示すようにして並列接続されたコンデンサＣ１〜Ｃ５とを備えて構成されており、整流器Ｄ６を経た出力がＬＥＤ３２に加えることができるようになっている。
【００２６】
次に、上記構成からなる本発明の作用・効果を説明すれば、聴力保護具１１としての中継アダプタ１２は、介在プラグ１３をマイクロホン等の試聴対象物に組み込まれている市販のアンプ１が備える出力ジャック２に差し込み、その介在ジャック１４に図示しない市販のヘッドホンが備える入力プラグ５を差し込むことで配置することができる。
【００２７】
そして、アンプ１からの出力は、入力端２２ａを介して一方の配線Ｌ１と他方の配線Ｌ２とに分岐するようにして音圧信号制限手段２２に印加される。
【００２８】
この場合、他方の配線Ｌ２は、倍電圧整流回路２３を経た後に接地されたＬＥＤ３２へと接続されており、倍電圧整流されて該ＬＥＤ３２を発光させる。  
【００２９】
また、一方の配線Ｌ１は、可変抵抗Ｒ１と接地された光導電素子４２の間に出力端２２ｂを介在させて接続されている。このため、該光導電素子４２は、ＬＥＤ３２からの発光を受けてその抵抗値を低下させることにより、アンプ１からの出力の一部を接地側に流すことで、出力端２２ｂから加えられるアンプ１の出力レベルを分割するように制限してヘッドホン側に加えることができる。
【００３０】
このため、本発明によれば、市販のアンプ１と市販のヘッドホンとの間に単に中継アダプタ１２を介在させることで、検査従事者は、アンプ１からの出力レベルが上昇するにつれ、耳に装着しているヘッドホン側に入力される音圧信号の制限レベルを聴力障害を発生させないように高めた状態、つまり音圧を低くした状態のもとで安心して検査作業に従事することができる。
【００３１】
しかも、一方の配線Ｌ１は、可変抵抗Ｒ１を備えているので、その抵抗値を事後的に調整しながら制限するレベルを可変とすることで、検査従事者がより好ましい音圧状態のもとで異常の有無を聴音検査することができることになる。
【００３２】
以上は、本発明を図示例に基づいて説明したものであり、その具体的な構成はこれに限定されるものではない。例えば、一方の配線Ｌ１が備える可変抵抗Ｒ１は、必要により固定抵抗としてもよい。また、倍電圧整流回路２３は、適宜の多倍電圧整流回路により構成することができる。
【符号の説明】
【００３３】
１  アンプ
２  出力ジャック２
５  （ヘッドホンの）入力プラグ
１１  聴力保護具
１２  中継アダプタ
１３  介在プラグ
１４  介在ジャック
２２  音圧信号制限手段
２２ａ  入力端
２２ｂ  出力端
２３  倍電圧整流回路
３２  ＬＥＤ
４２  光導電素子
Ｌ２  一方の配線
Ｌ２  他方の配線
Ｒ１  可変抵抗
Ｒ２  抵抗
Ｃ１〜Ｃ５  コンデンサ
Ｄ１〜Ｄ６  整流器（ダイオード）
【図１】
2010171744.tif 000003
【図２】
2010171744.tif 000004